(57)【要約】  鼻腔内の組織及び骨に対処するための装置は、シャフトの内腔に配置された回転切断部材又は振動切断部材を備えている。シャフトは、第１の方向を向いた第１の窓領域と、第２の方向を向いた第２の窓領域とを有していてもよい。切断部材は、第１の窓領域の少なくとも一部を横切って周期的に移動するように構成された第１の刃先と、第２の窓領域の少なくとも一部を横切って周期的に移動するように構成された第２の刃先とを備えていてもよい。シールドは、第１の窓領域を塞ぐように、及び第２の窓領域を塞ぐように選択的に配置可能である。
2019531157.tif 000002
【特許請求の範囲】
【請求項１】
（ａ）長手方向軸を有し、内腔を画定し、遠位部分と近位部分とを有し、第１の窓領域と第２の窓領域とを有する、シャフトと、
（ｂ）前記内腔内に配置され、前記第１の窓領域の少なくとも一部を横切って周期的に移動するように構成された、第１の刃先と、
（ｃ）前記内腔内に配置され、前記第２の窓領域の少なくとも一部を横切って周期的に移動するように構成された、第２の刃先と、
（ｄ）第１のシールド部分であって、第１の位置及び第２の位置に選択的に配置可能であり、前記第１のシールド部分が前記第１の位置に配置されるとき、前記第１のシールド部分は、前記第１の窓領域を塞ぐように構成されており、前記第１のシールド部分が前記第２の位置に配置されるとき、前記第１のシールド部分は、前記第１の窓領域を塞がないように構成されている、第１のシールド部分と、
（ｅ）第２のシールド部分であって、第３の位置及び第４の位置に選択的に配置可能であり、前記第２のシールド部分が前記第３の位置に配置されるとき、前記第２のシールド部分は、前記第２の窓領域を塞ぐように構成されており、前記第２のシールド部分が前記第４の位置に配置されるとき、前記第２のシールド部分は、前記第２の窓領域を塞がないように構成されている、第２のシールド部分と、を備える、装置。
【請求項２】
前記第１の窓領域と前記第２の窓領域が連続している、請求項１に記載の装置。
【請求項３】
前記第１の窓領域と前記第２の窓領域が軸方向に整列している、請求項２に記載の装置。
【請求項４】
前記第１の窓領域が、前記遠位部分に配置されている、請求項１に記載の装置。
【請求項５】
前記遠位部分が、湾曲した端部を有しており、前記第２の窓領域が、前記湾曲した端部に配置されている、請求項４に記載の装置。
【請求項６】
前記第１の窓領域が、第１の方向を向いており、前記第１の方向が、前記長手方向軸に対して半径方向の成分を有する、請求項１に記載の装置。
【請求項７】
前記第１の方向が、前記半径方向の成分のみを有する、請求項６に記載の装置。
【請求項８】
前記第２の窓領域が、第２の方向を向いており、前記第２の方向が、前記長手方向軸に対して軸方向の成分を有する、請求項６に記載の装置。
【請求項９】
前記第１の窓領域が、第１の方向を向いており、前記第１の方向が、前記長手方向軸に対して軸方向の成分のみを有する、請求項１に記載の装置。
【請求項１０】
切断部材を備えており、前記切断ブレードが、前記第１の刃先を有する、請求項１に記載の装置。
【請求項１１】
前記切断部材が、前記第２の刃先を有する、請求項１０に記載の装置。
【請求項１２】
シールド部材を備えており、前記シールドが、前記第１のシールド部分と前記第２のシールド部分とを有する、請求項１に記載の装置。
【請求項１３】
前記第１のシールド部分と前記第２のシールド部分が軸方向に整列している、請求項１２に記載の装置。
【請求項１４】
前記シールド部材が、湾曲したセグメントを有し、前記第２のシールド部分が、前記湾曲したセグメントに配置されている、請求項１２に記載の装置。
【請求項１５】
前記シールド部材が、円筒形セクタを有している、請求項１２に記載の装置。
【請求項１６】
前記第１のシールド部分が、前記内腔に配置されている、請求項１に記載の装置。
【請求項１７】
前記第２のシールド部分が、前記内腔に配置されている、請求項１６に記載の装置。
【請求項１８】
（ａ）シャフトであって、長手方向軸を有し、第１の内腔を画定し、遠位部分と近位部分とを有し、第１の窓領域と第２の窓領域とを有し、前記第１の窓領域が、半径方向の成分のみを含む第１の方向を向いており、前記第２の窓領域が、軸方向の成分を含む第２の方向を向いている、シャフトと、
（ｂ）前記第１の内腔に配置された切断部材であって、前記切断部材が第２の内腔を有し、前記切断部材が、前記内腔に配置される第１の刃先を備え、前記第１の刃先が、前記第１の窓領域の少なくとも一部を横切って周期的に移動するように構成され、前記切断部材が、第２の刃先を備え、前記第２の刃先が、前記第２の窓領域の少なくとも一部を横切って周期的に移動するように構成されている、切断部材と、
（ｃ）シールド部材であって、第１の位置及び第２の位置に選択的に配置可能であり、前記シールド部材が前記第１の位置に配置されるとき、前記シールド部材が、前記第１の窓領域を塞ぐが、前記第２の窓領域を塞がないように構成されており、前記シールド部材が前記第２の位置に配置されるとき、前記シールド部材が、前記第１の窓領域を塞がず、前記第２の窓領域を塞ぐように構成されている、シールド部材と、を備える、装置。
【請求項１９】
前記第２の内腔と流体連通している吸気口を備える、請求項１８に記載の装置。
【請求項２０】
（ａ）ハンドルアセンブリであって、
（ｉ）遠位端部及び近位端部と、
（ｉｉ）減圧源に接続可能な吸気口と、
（ｉｉｉ）回転運動源又は振動運動源と、を備える、ハンドルアセンブリと、
（ｂ）シャフトアセンブリであって、
（ｉ）シャフトであって、前記シャフトが長手方向軸を有し、前記シャフトが内腔を画定し、前記シャフトが遠位部分と近位部分とを有し、前記シャフトの前記近位部分が、前記ハンドルアセンブリの前記遠位端部に接続し、前記シャフトが、第１の窓領域と第２の窓領域とを有する、シャフトと、
（ｉｉ）前記第１の内腔に配置された切断部材であって、前記回転運動源又は振動運動源が、前記長手方向軸の周囲で前記切断部材を回転させるように構成されており、前記切断部材が、前記吸気口と流体連通している第２の内腔を有し、前記切断部材が、前記第１の窓領域の少なくとも一部を横切って周期的に移動するように構成された第１の刃先を備え、前記切断部材が、前記第２の窓領域の少なくとも一部を横切って周期的に移動するように構成された第２の刃先を備える、切断部材と、
（ｉｉｉ）シールド部材であって、第１の位置及び第２の位置に選択的に配置可能であり、前記シールド部材が前記第１の位置に配置されるとき、前記シールド部材が、前記第１の窓領域を塞ぐが、前記第２の窓領域を塞がないように構成されており、前記シールド部材が前記第２の位置に配置されるとき、前記シールド部材が、前記第１の窓領域を塞がず、前記第２の窓領域を塞ぐように構成されている、シールド部材と、を備える、シャフトアセンブリと、を備える、装置。
【発明の詳細な説明】
【背景技術】
【０００１】
鼻腔内の病変、ポリープ及び類線維腫の除去のために構成された外科用切断器具が知られている。いくつかの構成は、管状の外側管状部材内に回転可能に同軸に配置された細長い内側部材を備えている場合がある。この外側部材の遠位端は、開口部を含み、内側部材の遠位端は、刃先を含む。この２つの部材の近位端は、直接に、又は着脱可能なハブを介して、ハンドルに接続され得る。内側部材は中空で、吸引ポートと連通していてもよく、これによって切断された組織等が中空部材を通して外に吸引され得る。刃先は、特定のタイプの組織又は骨切断を行うのに適した様々な構成を有することができ、開口部は、その特定の刃先構成と協働するように構成することができる。
【０００２】
このような外科用切断器具を組織又は骨に対処するために使用するためには、開口部／刃先を、対象の手術部位へと前進させ、開口部を、除去されるべき組織又は骨に隣接するよう配置する。開口部は、前の位置では器具でアクセスできなかった組織に対処するように再配置することができる。固定開口部を備えた外科用切断器具により、外科医は、固定された開口部切断の方向のみで切断することが可能になる。様々な位置の組織にアクセスし、切断及び除去するために、外科医は、器具を様々な角度で再配置しなければならない。又は場合によっては、器具を、より適切な配置の開口部を有する他の器具に変更しなければならない。
【０００３】
外科用器具を再配置又は変更する必要なしに、様々な位置の組織及び骨にアクセスし、切断し、除去することが望ましい場合がある。鼻腔内の組織及び骨除去用に、いくつかの異なる外科用器具が作製され、使用方法が提供されてきたが、本発明者らよりも以前に、添付の特許請求の範囲に記載する本発明を作製又は使用したものは存在しないと考えられる。
【図面の簡単な説明】
【０００４】
本明細書は、本発明を具体的に示し、明確にその権利を請求する特許請求の範囲をもって結論とするものであるが、本発明は以下の特定の実施例の説明を添付図面と併せ読むことでより深い理解が得られるものと考えられる。図中、同様の参照符号は同様の要素を示す。
【図１】例示的な外科用切断器具の斜視図である。
【図２】図１の外科用切断器具の遠位部分の分解部分斜視図である。
【図３】シールドが第１の位置にある、図１の外科用切断器具の遠位部分の中心線に沿った断面図である。
【図４】明確さのためにシールドが省かれた、第１の窓領域へと延在する組織を示す、図１の外科用切断器具の第１の窓領域を通過し、シャフトの軸に沿った断面図である。
【図５】シールドが第１の位置にある、図１の例示的な外科用切断器具の遠位部分の拡大部分斜視図である。
【図６】シールドが第２の位置にある、図１の例示的な外科用切断器具の遠位部分の拡大部分斜視図である。
【図７Ａ】シールドが図５に示す位置にある場合の、図３の線７−７の位置で取られた、図１の外科用切断器具の断面図である。
【図７Ｂ】シールドが図６に示す位置にある場合の、図３の線７−７の位置で取られた、図１の外科用切断器具の断面図である。
【図８Ａ】シールドが図５に示す位置にある場合の、図３の線８−８の位置で取られた、図１の外科用切断器具の断面図である。
【図８Ｂ】シールドが図６に示す位置にある場合の、図３の線８−８の位置で取られた、図１の外科用切断器具の断面図である。
【図９】別の例示的な外科用切断器具の遠位部分の分解部分斜視図である。
【０００５】
図面は、いかようにも限定することを意図しておらず、本発明の様々な実施形態は、図面に必ずしも描写されていないものを含め、他の様々な方式で実施され得ることが考えられる。本明細書に組み込まれ、その一部をなす添付図面は、本発明のいくつかの態様を図示したものであり、本説明文と共に本発明の原理を説明する役割を果たすものである。しかし、本発明が示される正確な配置に限定されない点は理解される。
【発明を実施するための形態】
【０００６】
本発明の特定の実施例の以下の説明文は、本発明の範囲を限定する目的で用いられるべきではない。本発明の他の実施例、特徴、態様、実施形態及び利点は、本発明を実施するために想到される最良の形態の１つを実例として示す以下の説明文より、当業者には明らかとなろう。理解されるように、本発明には、いずれも本発明から逸脱することなく、他の異なる、かつ明白な態様が可能である。例えば、様々であるが。したがって、図面及び説明は、限定的ではなく、例示的な性質のものと見なされるべきである。
【０００７】
用語「近位」及び「遠位」は、本明細書では、ハンドピースアセンブリを把持している臨床医を基準にして使用されていることが理解されるであろう。すなわち、エンドエフェクタは、より近位のハンドピースアセンブリに対して遠位にある。便宜上及び明確さのために、「上部」及び「下部」などの空間用語もまた、本明細書において、ハンドピースアセンブリを把持している臨床医に対して使用されていることが更に理解されよう。しかしながら、外科用器具は、多くの向き及び位置で使用されるものであり、これらの用語は、限定的かつ絶対的なものであることを意図するものではない。
【０００８】
本明細書に記載の教示、表現、変形、実施例などのうちのいずれか１つ又は複数を、本明細書に記載の他の教示、表現、変形、実施例などのうちのいずれか１つ又は複数と組み合わせることができる点も更に理解される。したがって、以下に記載されている教示、表現、変形、実施例などは、互いに独立して考慮されるべきではない。本明細書の教示に照らして、本明細書の教示を組み合わせることができる様々な好適な方法が、当業者には容易に明らかとなろう。このような修正及び変形形態は、「特許請求の範囲」内に含まれるものとする。
【０００９】
Ｉ．例示的な外科用切断器具
図１〜図３は、鼻腔並びに他の任意の好適な位置から組織及び骨を除去するのに使用可能な例示的な外科用切断器具（１０）を示す。本実施例の外科用切断器具（１０）は、ハンドルアセンブリ（２０）と、ハブ（３０）と、ハンドルアセンブリ（２０）から遠位に延在するシャフトアセンブリ（４０）とを備えている。ハンドルアセンブリ（２０）は、ハンドル（２２）を備えており、ハンドル（２２）は、任意の適切な構成であってもよい。ハンドル（２２）は、外科用切断器具（１０）の操作のための制御部を備えていてもよく、又は制御部は、遠隔に配置されていてもよい。外科用切断器具（１０）は、吸気口（２４）を有していてもよく、吸気口（２４）は、手術部位から組織及び骨を吸引することが可能な任意の適切な様式で構成されていてもよい。回転運動又は振動運動は、ハンドルアセンブリ（２０）によってシャフトアセンブリ（４０）に伝えられる。任意の適切な回転運動源又は振動運動源が利用されてもよく、ハンドルアセンブリ（２０）内に収容されていてもよく、又は外部にあり、ハンドルアセンブリ（２０）に接続可能であってもよい。ハンドルアセンブリ（２０）は、電池（図示せず）を収容していてもよく、又は外部電源に接続されていてもよい。ハンドル（２２）及びハンドルアセンブリ（２０）の他の構成要素は、例えば、ポリカーボネートを含めた任意の適した材料から作られてもよい。
【００１０】
シャフトアセンブリ（４０）は、シャフト（４２）と、切断部材（４４）と、シールド部材（４６）とを備えている。シャフト（４２）は、管として示されており、シャフトアセンブリ（４０）の長さ全体に延在する中央内腔（４８）を画定する。切断部材（４４）は、管として示されており、内腔（４８）に配置され、遠位部分（５８）でシャフトアセンブリ（４０）の長手方向軸（５０）の周囲を回転又は振動するように構成されている。シャフトアセンブリ（４０）は剛体として示されているが、シャフトアセンブリ（４０）の全て又は一部が可撓性であってもよく、軸（５０）は、一連の断面中心を含む。切断部材（４４）は、ハンドルアセンブリ（２０）まで延在し、そこで回転力源又は振動力源（図示せず）に接続される。切断部材（４４）は、内腔（５２）を画定する。内腔（４８）及び（５２）の片方又は両方が、吸気口（２４）と流体連通していてもよい。
【００１１】
シールド部材（４６）は、内腔（４８）に配置され、シャフト（４２）と切断部材（４４）との間の円筒形空間に挟まれており、切断部材（４４）の外側表面及びシャフト（４２）の内側表面に相補的な形状のものとして示されている。シールド部材（４６）は、円筒形セクタ、すなわち、その軸方向の長さの大部分に沿って湾曲したセグメント（すなわち、３６０°未満）である断面を有するとして示されている。シールド部材は、その軸方向の長さの全て又は一部に沿って環状の断面のものを含め、任意の適切な構成であってもよい。以下に記載するとおり、シールド部材（４６）は、少なくとも第１の位置と第２の位置を含め、第１の位置と第２の位置の間を移動するように構成されている。
【００１２】
シャフト（４２）は、遠位部分（５８）に、第１の窓領域（５４）と第２の窓領域（５６）（本明細書では第１の開口部（５４）及び第２の開口部（５６）とも呼ばれる）とを有する。遠位部分（５８）は、湾曲した端部、例えば、ほぼ球状の端部（５７）で終端している。第１の窓領域（５４）及び第２の窓領域（５６）は、シャフト（４２）を通るそれぞれの開口部であり、中央内腔４８は、以下に記載されるように塞がれていない限り、これらを介してシャフト（４２）を取り囲む周囲環境と流体連通している。第１の窓領域（５４）は、長手方向軸（５０）に対して半径方向外側である第１の方向を向いており、そのため、組織又は骨は、遠位部分（５８）がこのような組織又は骨に対して半径方向に付勢されるとき、第１の窓領域（５４）を通り、半径方向内側方向に中央内腔（４８）へと延在していてもよい。第１の方向は、半径方向の成分のみを含むものとして示されている。第２の窓領域（５６）は、端部（５７）に形成されるものとして示されており、軸方向に（長手方向軸（５０）に対して平行に）第２の方向を向いており、そのため、組織又は骨は、遠位部分（５８）がこのような組織又は骨に対して軸方向に付勢されるとき、第２の窓領域（５６）を通り、中央内腔（４８）へと延在していてもよい。第２の方向は、軸方向の成分に加えて、半径方向の成分を含み、そのため、組織又は骨は、遠位部分（５８）がこのような組織又は骨に対して半径方向に付勢されるとき、第２の窓領域（５６）を通って延在していてもよいことに留意すべきである。第２の窓領域（５６）は、任意の適切な方向に配置され、向けられていてもよく、例えば、第２の方向は、半径方向の成分を含まないか、又は半径方向の成分のみを含む。シャフト（４２）は、任意の適切な材料、例えば、ポリカーボネートから作られてもよい。
【００１３】
切断部材（４４）は、任意の適切な材料、例えば、ステンレス鋼から作られてもよい。切断部材（４４）は、第１の刃先（６０）を備えており、この第１の刃先（６０）は、切断部材（４４）の遠位部分（６４）に第１の切断窓（６２）を画定する。第１の刃先（６０）の全体より小さい部分が、対向する表面に対して組織及び骨を切断するように構成されていてもよいことに留意すべきである。また図４も参照すると、切断部材（４４）が軸（５０）の周囲を回転又は振動すると、第１の刃先（６０）の少なくとも一部が、第１の窓領域（５４）の少なくとも一部に隣接し、これを横切って移動するように配置される。図４は、第１の窓領域（５４）を通って延在する組織（６６）を示し、例えば、遠位部分（５８）がこのような組織に対して半径方向に付勢されるときに起こる可能性がある。切断部材（４４）が時計方向に移動するにつれて、第１の窓領域（５４）の縁部（５４ａ）は、第１の刃先（６０）の第１の刃先部分（６０ａ）に対向する面として作用し、対向する面となり、それによって、組織（６６）を切断することができる。第１の刃先部分（６０ａ）及び縁部（５４ａ）はそれぞれ、組織（６６）を切除するために他方と適切に協働する任意の構成を有していてもよい（例えば、ナイフの縁部、鋸歯状縁部、双極性、単極性若しくは高調波エネルギーモダリティ、又はレーザー活性化した刃先）。縁部（５４ａ）に対する第１の刃先部分（６０ａ）の移動量及び位置は、切除、引裂、又は任意の他の機構によって組織（６６）を分離するのに十分なものである。例えば、第１の刃先部分（６０ａ）は、第１の窓領域（５４）の少なくとも一部を横切って周期的に移動してもよい。図４では、切断部材（６０）が更に時計方向に移動すると、例えば、軸（５０）の周囲の振動の結果、又は軸（５０）の周囲の完全な回転の結果、刃先部分（６０ａ）が縁部（５４ａ）を超えて進む。
【００１４】
切断部材（４４）は、第２の刃先（６８）も備えており、この第２の刃先（６８）は、切断部材（４４）の遠位部分６４に第２の切断窓（７０）を画定する。第２の刃先（６８）の全体より小さい部分が、対向する表面に対して組織及び骨を切断するために構成されていてもよいことに留意すべきである。切断部材（４４）が軸（５０）の周囲を回転又は振動すると、第２の刃先（６８）の少なくとも一部が、第２の窓領域（５６）の少なくとも一部に隣接し、これを横切って移動するように配置される。組織が、第１の窓領域（５４）について図４に示すのと同様の様式で、第２の窓領域（５６）を通って延在するとき、例えば、遠位部分（５８）がこのような組織に対して軸方向に付勢されるときに起こり得る。切断部材（４４）が時計方向に回転するにつれて、第２の窓領域（５６）の縁部（５６ａ）は、第２の刃先（６８）の第２の刃先部分（６８ａ）に対向する面となり、それによって、組織（６６）を切断することができる。第２の刃先部分（６８ａ）及び縁部（５６ａ）はそれぞれ、組織（６６）を切除するために他方と適切に協働する任意の構成を有していてもよい（例えば、ナイフの縁部及び鋸歯状縁部）。縁部（５６ａ）に対する第２の刃先部分（６８ａ）の移動量及び位置は、切除、引裂、又は任意の他の機構によって組織（６６）を十分に分離するように構成されている。例えば、第２の刃先部分（６８ａ）は、第２の窓領域（５６）の少なくとも一部を横切って周期的に移動してもよい。
【００１５】
切断部材（４４）は、中空の管として構成されるものが示されているが、それ自体の内腔（５２）を画定する管状に限定されない。切断部材（４４）は、第１の刃先６０及び第２の刃先（６８）を与える任意の適した構成であってもよい。例えば、切断部材（４４）は、遠位部分（６４）に第１及び第２の刃先を有する、内腔（４８）内に軸（５０）と同軸に配置されるシャフトを備えていてもよい。
【００１６】
また、図５〜図６を参照すると、シールド部材（４６）は、第１の位置及び第２の位置に選択的に配置可能な第１のシールド部分（４６ａ）を備えている。図３、図５及び図７Ａでは、第１のシールド部分（４６ａ）は、第１のシールド部分（４６ａ）が第１の窓領域（５４）を塞ぐ第１の位置に配置されている。第１の窓領域（５４）が塞がれている場合、第１の切断窓（６２）は組織と接触することができないため、第１の窓領域（５４）で組織を切断することができない。図６及び図７Ｂでは、第１のシールド部分（４６ａ）は、第２の位置に配置されており、この位置では、第１のシールド部分（４６ａ）は、第１の窓領域（５４）を塞いでおらず、第１の窓領域（５４）を介し、第１の刃先（６０）によって組織に対処することができる。
【００１７】
シールド部材（４６）は、第１の位置及び第２の位置に選択的に配置可能な第２のシールド部分（４６ｂ）を備えている。図６及び図８Ｂでは、第２のシールド部分（４６ｂ）は、第２のシールド部分（４６ｂ）が第２の窓領域（５６）を塞ぐ第１の位置に配置されている。第２の窓領域（５６）が塞がれている場合、第２の切断窓（７０）は組織と接触することができないため、第２の窓領域（５６）で組織を切断することができない。図５及び図８Ａでは、第２のシールド部分（４６ｂ）は、第２の位置に配置されており、この位置では、第２のシールド部分（４６ｂ）は、第２の窓領域（５６）を塞いでおらず、第２の窓領域（５６）を介し、第２の刃先（６８）によって組織に対処することができる。第２のシールド部分（４６ｂ）は、湾曲したセグメント（４６ｂ）の少なくとも一部を含むものとして示されている。
【００１８】
この例示的な外科用切断器具では、シールド部材（４６）は、第１のシールド部分（４６ａ）がその第１の位置に配置されるとき、第２のシールド部分（４６ｂ）がその第２の位置に配置され、第１のシールド部分（４６ａ）がその第２の位置に配置されるとき、第２のシールド部分（４６ｂ）がその第１の位置に配置されるように構成されている。この構成では、シールド部材（４６）自体は、第１及び第２のシールド部分（４６ａ、４６ｂ）をそれらの対応の第１及び第２の位置に選択的に配置するために、第１の位置と第２の位置を含めて第１の位置と第２の位置との間を移動可能であることだけが必要である。シールド部材（４６）の位置決め及び移動は、任意の適切な様式で行われ、制御されてもよい。シールド部材（４６）は、ハブ（３０）まで延在し、任意の適切に構成された制御特徴と接続していてもよい。シールド部材（４６）を駆動する及び／又は他の様式で制御するために使用可能な種々の適した特徴は、本明細書の教示を考慮することで、当業者には明らかになるだろう。
【００１９】
この例示的な外科用切断器具では、第１のシールド部分（４６ａ）と第２のシールド部分（４６ｂ）は、軸方向に整列している。第１の窓領域（５４）と第２の窓領域（５６）とは、第２のシールド部分（４６ｂ）がその第２の位置に配置されるとき、軸方向に整列した第１のシールド部分（４６ａ）がその第１の位置に配置され、第２のシールド部分（４６ｂ）がその第１の位置に配置されるとき、第１のシールド部分（４６ａ）がその第２の位置に配置されるような量だけ、軸方向にずれている。
【００２０】
切断操作中、シールド部分（４６ａ、４６ｂ）は、塞がれた窓領域の場所が塞がれたままとなり、塞がれていない窓領域が操作の間、塞がれていない状態に維持されるように、それらの望ましい対応の位置に保持される必要がある。シールド部材（４６）は、所望の位置にシールド部分（４６ａ、４６ｂ）を維持するように、それぞれの位置にロックされるように構成されている。シールド部材（４６）を選択的にロックするために使用可能な種々の適した特徴は、本明細書の教示を考慮することで、当業者には明らかになるだろう。
【００２１】
第１のシールド部分（４６ａ）及び第２のシールド部分（４６ｂ）の片方又は両方は、それぞれの第１及び第２の窓領域（５４、５６）の一部分のみがそれぞれのシールド部分（４６ａ、４６ｂ）によって塞がれるように構成されてもよく、それによって、それぞれの窓領域（５４、５６）の塞がれていない部分の大きさが、それぞれのシールド部分（４６ａ、４６ｂ）の位置によって決定されてもよく、それによって、それぞれの窓領域（５４、５６）を横切って１回通過する間にそれぞれの刃先（６０、６８）によって対処可能な組織の量を制限してもよい。シールド部分（４６ａ、４６ｂ）の対応する部分は、そのそれぞれの切断窓（６２、６８）に対向する表面として作用するように構成されてもよく、対応する部分のこのような構成は、任意の適切な構成であってもよい（例えば、ナイフの縁部、鋸歯状縁部、双極性、単極性若しくは高調波エネルギーモダリティ、又はレーザー活性化した刃先）。
【００２２】
それぞれの第１の位置と第２の位置を含め、第１の位置と第２の位置の間のシールド部分（４６ａ、４６ｂ）の移動は、任意の適切な様式で行われてもよい。示されているように、シールド部材（４６）が軸（５０）の周囲で回転することによって、それらのそれぞれの第１の位置と第２の位置を含め、第１の位置と第２の位置の間を第１及び第２のシールド部分（４６ａ、４６ｂ）が移動する。これに代えて、それらのそれぞれの第１の位置と第２の位置に、またその間に、第１及び第２のシールド部分（４６ａ、４６ｂ）を移動させるために（例えば、軸方向の移動、又は軸方向と回転の組み合わせ）、シールド部材（４６）は、他の移動のために構成されていてもよい。これに代えて、第１及び第２のシールド部分（４６ａ、４６ｂ）は、閉塞の望ましい組み合わせを達成するために、独立して、相互依存的に、又は調和して移動可能な、別個の部材を備えていてもよい。
【００２３】
ＩＩ．隣接する窓領域を有する例示的な外科用切断器具
図９は、別の例示的な外科用切断器具（１１０）のシャフトアセンブリ（１４０）の遠位部分を示す。シャフトアセンブリ（１４０）は、シャフト（１４２）と、切断部材（１４４）と、シールド（１４６）とを備えている。シャフト（１４２）は、第１の窓領域（１５４）と第２の窓領域（１５６）とを有している。第１の窓領域（１５４）と第２の窓領域（１５６）は、互いに隣接しており、連続しており、互いに連通している。第１の窓領域（１５４）と第２の窓領域（１５６）は、軸方向に整列している。第１の窓領域（１５４）は、長手方向軸（１５０）に対して半径方向外側である第１の方向に開放しており、そのため、組織又は骨は、遠位部分（１５８）がこのような組織又は骨に対して半径方向に付勢されるとき、第１の窓領域（１５４）を通り、半径方向内側方向に中央内腔（１４８）へと延在していてもよい。第２の窓領域（１５６）は、長手方向軸（１５０）に対して軸方向に（又は平行に）第２の方向に開放しており、そのため、組織又は骨は、遠位部分（１５８）がこのような組織又は骨に対して軸方向に付勢されるとき、第２の窓領域（１５６）を通り、中央内腔（１４８）へと延在していてもよい。上述のように、第２の方向は、軸方向の成分に加えて、半径方向の成分を含み、そのため、組織又は骨は、遠位部分（１５８）がこのような組織又は骨に対して半径方向に付勢されている場合、第２の窓領域（１５６）を通って延在していてもよいことに留意すべきである。第２の窓領域（１５６）は、任意の適切な方向に配置され、向いていてもよく、例えば、第２の方向は、半径方向の成分を含まないか、又は半径方向の成分のみを含む。シャフト（１４２）は、任意の適切な材料、例えば、ポリカーボネートから作られてもよい。
【００２４】
切断部材（１４４）は、任意の適切な材料、例えば、ステンレス鋼から作られてもよい。切断部材（１４４）は、第１の刃先（１６０）を備えており、この第１の刃先（１６０）は、切断部材（１４４）の遠位部分（１６４）に第１の切断窓（１６２）を画定する。切断部材（１４４）は、第２の刃先（１６８）を備えており、この第２の刃先（１６８）は、切断部材（１４４）の遠位部分（１６４）に第２の切断窓（１７０）を画定する。第１の切断窓（１６２）と第２の切断窓（１７）は、互いに隣接しており、連続しており、互いに連通している。第１の刃先（１６０）は、内腔（１４８）内に配置されており、第１の窓領域（１５４）の少なくとも一部を横切って周期的に移動するように構成されている。第２の刃先（１６８）は、内腔（１４８）内に配置されており、第２の窓領域（１５８）の少なくとも一部を横切って周期的に移動するように構成されている。
【００２５】
シールド（１４６）は、第１の位置及び第２の位置に選択的に配置可能な第１のシールド部分（１４６ａ）を備えている。第１のシールド部分（１４６ａ）が第１の位置に配置されるとき、第１のシールド部分（１４６ａ）は第１の窓領域（１５４）を塞ぐ。第１の窓領域（１５４）が塞がれている場合、第１の切断窓（１６２）は組織と接触することができないため、第１の窓領域（１５４）で組織を切断することができない。第１のシールド部分（１４６ａ）が第２の位置に配置されるとき、第１のシールド部分（１４６ａ）は、第１の窓領域（１５４）を塞いでおらず、第１の窓領域（１５４）を介し、第１の刃先（１６０）によって組織に対処することができる。
【００２６】
シールド（１４６）は、第１の位置及び第２の位置に選択的に配置可能な第２のシールド部分（１４６ｂ）を備えている。第２のシールド部分（１４６ｂ）が第１の位置に配置されるとき、第２のシールド部分（１４６ｂ）は第２の窓領域（１５６）を塞ぐ。第２の窓領域（１５６）が塞がれている場合、第２の切断窓（１７０）は組織と接触することができないため、第２の窓領域（１５６）で組織を切断することができない。第２のシールド部分（１４６ｂ）が第２の位置に配置されるとき、第２のシールド部分（１４６ｂ）は、第２の窓領域（１５６）を塞いでおらず、第２の窓領域（１５６）を介し、第２の刃先（１６８）によって組織に対処することができる。
【００２７】
ＩＩＩ．例示的な組み合わせ
以下の実施例は、本明細書の教示を組み合わせるか又は適用することができる、様々な非網羅的な方法に関する。以下の実施例は、本出願における又は本出願の後の出願におけるどの時点でも提示され得る、いずれの請求項の適用範囲をも限定することを目的としたものではないことを理解されたい。一切の棄権を意図するものではない。以下の実施例は、単なる例示の目的で与えられるものにすぎない。本明細書の様々な教示は、他の多くの方法で構成及び適用が可能であると考えられている。また、いくつかの変形例では、以下の実施例において言及される特定の特徴を省略してよいことも考えられる。したがって、本発明者又は本発明者の利益の継承者により、後日、そうである旨が明示的に示されない限り、以下に言及される態様又は特徴のいずれも重要なものとして見なされるべきではない。以下に言及される特徴以外の更なる特徴を含む請求項が本出願において、又は本出願に関連する後の出願において示される場合、それらの更なる特徴は、特許性に関連するいかなる理由によっても追加されたものとして仮定されるべきではない。
【実施例】
【００２８】
（実施例１）
（ａ）長手方向軸を有し、内腔を画定し、遠位部分と近位部分とを有し、第１の窓領域と第２の窓領域とを有する、シャフトと、（ｂ）当該内腔内に配置され、第１の窓領域の少なくとも一部を横切って周期的に移動するように構成された、第１の刃先と、（ｃ）当該内腔内に配置され、第２の窓領域の少なくとも一部を横切って周期的に移動するように構成された、第２の刃先と、（ｄ）第１のシールド部分であって、第１の位置及び第２の位置に選択的に配置可能であり、第１のシールド部分が第１の位置に配置されるとき、第１のシールド部分は、第１の窓領域を塞ぐように構成されており、第１のシールド部分が第２の位置に配置されるとき、第１のシールド部分は、第１の窓領域を塞がないように構成されている、第１のシールド部分と、（ｅ）第２のシールド部分であって、第３の位置及び第４の位置に選択的に配置可能であり、第２のシールド部分が第３の位置に配置されるとき、第２のシールド部分は、第２の窓領域を塞ぐように構成されており、第２のシールド部分が第４の位置に配置されるとき、第２のシールド部分は、第２の窓領域を塞がないように構成されている、第２のシールド部分と、を備える、装置。
【００２９】
（実施例２）
第１の窓領域と第２の窓領域が連続している、実施例１に記載の装置。
【００３０】
（実施例３）
第１の窓領域と第２の窓領域が軸方向に整列している、実施例２に記載の装置。
【００３１】
（実施例４）
第１の窓領域が、遠位部分に配置されている、実施例１から実施例３のうち任意の１つ以上に記載の装置。
【００３２】
（実施例５）
遠位部分が、湾曲した端部を有しており、第２の窓領域が、湾曲した端部に配置されている、実施例４に記載の装置。
【００３３】
（実施例６）
第１の窓領域が、第１の方向を向いており、第１の方向が、長手方向軸に対して半径方向の成分を有する、実施例１から実施例５のうち任意の１つ以上に記載の装置。
【００３４】
（実施例７）
第１の方向が、半径方向の成分のみを有する、実施例６に記載の装置。
【００３５】
（実施例８）
第２の窓領域が、第２の方向を向いており、第２の方向が、長手方向軸に対して軸方向の成分を有する、実施例６から実施例７のうち任意の１つ以上に記載の装置。
【００３６】
（実施例９）
第１の窓領域が、第１の方向を向いており、第１の方向が、長手方向軸に対して軸方向の成分のみを有する、実施例１から実施例８のうち任意の１つ以上に記載の装置。
【００３７】
（実施例１０）
切断部材を備えており、切断ブレードが、第１の刃先を有する、実施例１から実施例９のうち任意の１つ以上に記載の装置。
【００３８】
（実施例１１）
切断部材が、第２の刃先を有する、実施例１０に記載の装置。
【００３９】
（実施例１２）
シールド部材を備えており、シールドが、第１のシールド部分と第２のシールド部分とを有する、実施例１から実施例１１のうち任意の１つ以上に記載の装置。
【００４０】
（実施例１３）
第１のシールド部分と第２のシールド部分が軸方向に整列している、実施例１２に記載の装置。
【００４１】
（実施例１４）
シールド部材が、湾曲したセグメントを有し、当該第２のシールド部分が、湾曲したセグメントに配置されている、実施例１２から実施例１３のうち任意の１つ以上に記載の装置。
【００４２】
（実施例１５）
シールド部材が、円筒形セクタを有している、実施例１２から実施例４のうち任意の１つ以上に記載の装置。
【００４３】
（実施例１６）
第１のシールド部分が、内腔に配置されている、実施例１から実施例１５のうち任意の１つ以上に記載の装置。
【００４４】
（実施例１７）
第２のシールド部分が、内腔に配置されている、実施例１６に記載の装置。
【００４５】
（実施例１８）
（ａ）シャフトであって、長手方向軸を有し、第１の内腔を画定し、遠位部分と近位部分とを有し、第１の窓領域と第２の窓領域とを有し、第１の窓領域が、半径方向の成分のみを含む第１の方向を向いており、第２の窓領域が、軸方向の成分を含む第２の方向を向いている、シャフトと、（ｂ）第１の内腔に配置された切断部材であって、切断部材が第２の内腔を有し、切断部材が、当該内腔に配置される第１の刃先を備え、第１の刃先が、第１の窓領域の少なくとも一部を横切って周期的に移動するように構成され、切断部材が、第２の刃先を備え、第２の刃先が、第２の窓領域の少なくとも一部を横切って周期的に移動するように構成されている、切断部材と、（ｃ）シールド部材であって、第１の位置及び第２の位置に選択的に配置可能であり、シールド部材が第１の位置に配置されるとき、シールド部材が、第１の窓領域を塞ぐが、第２の窓領域を塞がないように構成されており、シールド部材が第２の位置に配置されるとき、シールド部材が、第１の窓領域を塞がず、第２の窓領域を塞ぐように構成されている、シールド部材と、を備える、装置。
【００４６】
（実施例１９）
第２の内腔と流体連通している吸気口を備える、実施例１８に記載の装置。
【００４７】
（実施例２０）
（ａ）ハンドルアセンブリであって、（ｉ）遠位端部及び近位端部と、（ｉｉ）減圧源に接続可能な吸気口と、（ｉｉｉ）回転運動源又は振動運動源と、を備える、ハンドルアセンブリと、（ｂ）シャフトアセンブリであって、（ｉ）シャフトであって、シャフトが長手方向軸を有し、シャフトが内腔を画定し、シャフトが遠位部分と近位部分とを有し、シャフトの近位部分が、ハンドルアセンブリの遠位端部に接続し、シャフトが、第１の窓領域と第２の窓領域とを有する、シャフトと、（ｉｉ）第１の内腔に配置された切断部材であって、回転運動源又は振動運動源が、長手方向軸の周囲で切断部材を回転させるように構成されており、切断部材が、吸気口と流体連通している第２の内腔を有し、切断部材が、第１の窓領域の少なくとも一部を横切って周期的に移動するように構成された第１の刃先を備え、切断部材が、第２の窓領域の少なくとも一部を横切って周期的に移動するように構成された第２の刃先を備える、切断部材と、（ｉｉｉ）シールド部材であって、第１の位置及び第２の位置に選択的に配置可能であり、シールド部材が第１の位置に配置されるとき、シールド部材が、第１の窓領域を塞ぐが、第２の窓領域を塞がないように構成されており、シールド部材が第２の位置に配置されるとき、シールド部材が、第１の窓領域を塞がず、第２の窓領域を塞ぐように構成されている、シールド部材と、を備える、シャフトアセンブリと、を備える、装置。
【００４８】
ＩＶ．その他
本明細書に記載の実施例のうちのいずれも、上述のものに加えて又はそれに代えて、様々な他の特徴を含み得る点が理解されるべきである。単なる例として、本明細書に記載の実施例のうちのいずれも、参照により本明細書に組み込まれる様々な参考文献のいずれかに開示されている様々な特徴のうちの１つ又は複数を含むこともできる。
【００４９】
本明細書に記載の教示、表現要素、実施形態、実施例などのうちのいずれか１つ以上を、本明細書に記載の他の教示、表現要素、実施形態、実施例などのうちのいずれか１つ以上と組み合わせることができる点が理解されるべきである。したがって、上記の教示、表現、実施形態、実施例などは、互いに対して独立して考慮されるべきではない。本明細書の教示に照らして、本明細書の教示を組み合わせることができる様々な好適な方法が、当業者には容易に明らかとなろう。このような修正及び変形形態は、「特許請求の範囲」内に含まれるものとする。
【００５０】
本明細書に参照により組み込まれると言及されるいかなる特許、公報、又はその他の開示内容も、全体的に又は部分的に、組み込まれる内容が現行の定義、見解、又は本開示に記載されるその他の開示内容とあくまで矛盾しない範囲でのみ本明細書に組み込まれると理解されるべきである。そのようなものであるから、また必要な範囲で、本明細書に明瞭に記載される開示内容は、参考として本明細書に組み込まれているあらゆる矛盾する記載に優先するものとする。現行の定義、見解、又は本明細書に記載される他の開示内容と矛盾する任意の内容、又はそれらの部分は本明細書に参考として組み込まれるものとするが、参照内容と現行の開示内容との間に矛盾が生じない範囲においてのみ、参照されるものとする。
【００５１】
本明細書に開示されるデバイスの変形形態は、１回の使用後に処分されるように設計するか又は複数回使用されるように設計することができる。バージョンは、いずれか又は両方の場合においても、少なくとも１回の使用後に再利用のために再調整され得る。再調整は、デバイスの分解工程、それに続く特定の部品の洗浄又は交換工程、及びその後の再組み立て工程の、任意の組み合わせを含み得る。詳細には、デバイスの変形形態は分解されてもよく、また、デバイスの任意の数の特定の部分又は部品を任意の組み合わせで選択的に交換又は取り外すことができる。特定の部品を洗浄及び／又は交換した後、デバイスの変形形態は、再調整用の施設において、又は外科処置の直前に外科チームによって、その後の使用のために再組立てすることができる。当業者であれば、デバイスの再調整において、分解、洗浄／交換、及び再組み立てのための様々な技術を利用することができることを理解するであろう。このような技術の使用、及び結果として得られる再調整されたデバイスは、全て本出願の範囲内にある。
【００５２】
あくまで例としてであるが、本明細書に記載の変形形態は手術に先立って処理することができる。まず、新品又は使用済みの器具を入手し、必要に応じて洗浄することができる。次いで、器具を滅菌することができる。１つの滅菌技術では、器具は、プラスチックバッグ又はＴＹＶＥＫバッグなど、閉鎖され密封された容器に入れられる。次いで、容器及び器具を、γ線、Ｘ線、又は高エネルギー電子などの容器を透過し得る放射線野に置くことができる。放射線は、器具上及び容器内の細菌を死滅させることができる。次いで、滅菌済みの器具を滅菌容器内で保管することができる。密封容器は、手術設備で開封されるまで器具を滅菌状態に保つことができる。β線若しくはγ線、エチレンオキシド、又は水蒸気が挙げられるがこれらに限定されない、当該技術分野で既知のその他の任意の技術を用いて、デバイスを滅菌してもよい。
【００５３】
本発明の様々な変形形態について図示し説明したが、本明細書で説明した方法及びシステムの更なる応用が、当業者による適切な改変形態により、本発明の範囲から逸脱することなく実現可能である。そのような可能な改変のうちのいくつかについて述べたが、他の改変も当業者には明らかとなるであろう。例えば、上述の実施例、変形形態、幾何学形状、材料、寸法、比率、工程などは例示的なものであって、必須ではない。したがって、本発明の範囲は、以下の特許請求の範囲の観点から考慮されるべきものであり、本明細書及び図面に示され記載された構造及び動作の細部に限定されないものとして理解される。
【００５４】
〔実施の態様〕
（１）  （ａ）長手方向軸を有し、内腔を画定し、遠位部分と近位部分とを有し、第１の窓領域と第２の窓領域とを有する、シャフトと、
（ｂ）前記内腔内に配置され、前記第１の窓領域の少なくとも一部を横切って周期的に移動するように構成された、第１の刃先と、
（ｃ）前記内腔内に配置され、前記第２の窓領域の少なくとも一部を横切って周期的に移動するように構成された、第２の刃先と、
（ｄ）第１のシールド部分であって、第１の位置及び第２の位置に選択的に配置可能であり、前記第１のシールド部分が前記第１の位置に配置されるとき、前記第１のシールド部分は、前記第１の窓領域を塞ぐように構成されており、前記第１のシールド部分が前記第２の位置に配置されるとき、前記第１のシールド部分は、前記第１の窓領域を塞がないように構成されている、第１のシールド部分と、
（ｅ）第２のシールド部分であって、第３の位置及び第４の位置に選択的に配置可能であり、前記第２のシールド部分が前記第３の位置に配置されるとき、前記第２のシールド部分は、前記第２の窓領域を塞ぐように構成されており、前記第２のシールド部分が前記第４の位置に配置されるとき、前記第２のシールド部分は、前記第２の窓領域を塞がないように構成されている、第２のシールド部分と、を備える、装置。
（２）  前記第１の窓領域と前記第２の窓領域が連続している、実施態様１に記載の装置。
（３）  前記第１の窓領域と前記第２の窓領域が軸方向に整列している、実施態様２に記載の装置。
（４）  前記第１の窓領域が、前記遠位部分に配置されている、実施態様１に記載の装置。
（５）  前記遠位部分が、湾曲した端部を有しており、前記第２の窓領域が、前記湾曲した端部に配置されている、実施態様４に記載の装置。
【００５５】
（６）  前記第１の窓領域が、第１の方向を向いており、前記第１の方向が、前記長手方向軸に対して半径方向の成分を有する、実施態様１に記載の装置。
（７）  前記第１の方向が、前記半径方向の成分のみを有する、実施態様６に記載の装置。
（８）  前記第２の窓領域が、第２の方向を向いており、前記第２の方向が、前記長手方向軸に対して軸方向の成分を有する、実施態様６に記載の装置。
（９）  前記第１の窓領域が、第１の方向を向いており、前記第１の方向が、前記長手方向軸に対して軸方向の成分のみを有する、実施態様１に記載の装置。
（１０）  切断部材を備えており、前記切断ブレードが、前記第１の刃先を有する、実施態様１に記載の装置。
【００５６】
（１１）  前記切断部材が、前記第２の刃先を有する、実施態様１０に記載の装置。
（１２）  シールド部材を備えており、前記シールドが、前記第１のシールド部分と前記第２のシールド部分とを有する、実施態様１に記載の装置。
（１３）  前記第１のシールド部分と前記第２のシールド部分が軸方向に整列している、実施態様１２に記載の装置。
（１４）  前記シールド部材が、湾曲したセグメントを有し、前記第２のシールド部分が、前記湾曲したセグメントに配置されている、実施態様１２に記載の装置。
（１５）  前記シールド部材が、円筒形セクタを有している、実施態様１２に記載の装置。
【００５７】
（１６）  前記第１のシールド部分が、前記内腔に配置されている、実施態様１に記載の装置。
（１７）  前記第２のシールド部分が、前記内腔に配置されている、実施態様１６に記載の装置。
（１８）  （ａ）シャフトであって、長手方向軸を有し、第１の内腔を画定し、遠位部分と近位部分とを有し、第１の窓領域と第２の窓領域とを有し、前記第１の窓領域が、半径方向の成分のみを含む第１の方向を向いており、前記第２の窓領域が、軸方向の成分を含む第２の方向を向いている、シャフトと、
（ｂ）前記第１の内腔に配置された切断部材であって、前記切断部材が第２の内腔を有し、前記切断部材が、前記内腔に配置される第１の刃先を備え、前記第１の刃先が、前記第１の窓領域の少なくとも一部を横切って周期的に移動するように構成され、前記切断部材が、第２の刃先を備え、前記第２の刃先が、前記第２の窓領域の少なくとも一部を横切って周期的に移動するように構成されている、切断部材と、
（ｃ）シールド部材であって、第１の位置及び第２の位置に選択的に配置可能であり、前記シールド部材が前記第１の位置に配置されるとき、前記シールド部材が、前記第１の窓領域を塞ぐが、前記第２の窓領域を塞がないように構成されており、前記シールド部材が前記第２の位置に配置されるとき、前記シールド部材が、前記第１の窓領域を塞がず、前記第２の窓領域を塞ぐように構成されている、シールド部材と、を備える、装置。
（１９）  前記第２の内腔と流体連通している吸気口を備える、実施態様１８に記載の装置。
（２０）  （ａ）ハンドルアセンブリであって、
（ｉ）遠位端部及び近位端部と、
（ｉｉ）減圧源に接続可能な吸気口と、
（ｉｉｉ）回転運動源又は振動運動源と、を備える、ハンドルアセンブリと、
（ｂ）シャフトアセンブリであって、
（ｉ）シャフトであって、前記シャフトが長手方向軸を有し、前記シャフトが内腔を画定し、前記シャフトが遠位部分と近位部分とを有し、前記シャフトの前記近位部分が、前記ハンドルアセンブリの前記遠位端部に接続し、前記シャフトが、第１の窓領域と第２の窓領域とを有する、シャフトと、
（ｉｉ）前記第１の内腔に配置された切断部材であって、前記回転運動源又は振動運動源が、前記長手方向軸の周囲で前記切断部材を回転させるように構成されており、前記切断部材が、前記吸気口と流体連通している第２の内腔を有し、前記切断部材が、前記第１の窓領域の少なくとも一部を横切って周期的に移動するように構成された第１の刃先を備え、前記切断部材が、前記第２の窓領域の少なくとも一部を横切って周期的に移動するように構成された第２の刃先を備える、切断部材と、
（ｉｉｉ）シールド部材であって、第１の位置及び第２の位置に選択的に配置可能であり、前記シールド部材が前記第１の位置に配置されるとき、前記シールド部材が、前記第１の窓領域を塞ぐが、前記第２の窓領域を塞がないように構成されており、前記シールド部材が前記第２の位置に配置されるとき、前記シールド部材が、前記第１の窓領域を塞がず、前記第２の窓領域を塞ぐように構成されている、シールド部材と、を備える、シャフトアセンブリと、を備える、装置。
【図１】
2019531157.tif 000003
【図２】
2019531157.tif 000004
【図３】
2019531157.tif 000005
【図４】
2019531157.tif 000006
【図５】
2019531157.tif 000007
【図６】
2019531157.tif 000008
【図７Ａ】
2019531157.tif 000009
【図７Ｂ】
2019531157.tif 000010
【図８Ａ】
2019531157.tif 000011
【図８Ｂ】
2019531157.tif 000012
【図９】
2019531157.tif 000013
【国際調査報告】
2019531157.tif 000014
2019531157.tif 000015
2019531157.tif 000016